(57)【要約】【課題】  信号光を被操作機器に到達させ易く、且つ節電を図ることができるリモコンと、この壁付け型リモコンを用いたトイレ設備を提供することを目的とする。【解決手段】  リモコン１０は、薄い箱状のものであり、上部に発光部１１が設けられている。発光部１１の裏側に複数の発光体が指向方向を異ならせて設けられている。発光体としては前方を指向したＬＥＤ１３と、斜め上方を指向したＬＥＤ１４とが設置されている。ジャンパーリード線１５を切断するとＬＥＤ１３への通電が遮断され、ジャンパーリード線１６を切断するとＬＥＤ１４への通電が遮断される【選択図】図１
2005064652.tif 000002
【特許請求の範囲】
【請求項１】
信号光を発生する発光体を有する壁付け型のリモコンにおいて、
発光方向が異なる複数の発光体と、
発光作動させる発光体を選定するための選定手段と
を備えたことを特徴とする壁付け型リモコン。
【請求項２】
請求項１において、該選定手段はリモコン内部のジャンパーリード線であることを特徴とする壁付け型リモコン。
【請求項３】
請求項１において、該選定手段はスイッチであることを特徴とする壁付け型リモコン。
【請求項４】
請求項１において、該選定手段は該リモコンの外面に設けられた複数のリモコン操作スイッチの組み合せであることを特徴とする壁付け型リモコン。
【請求項５】
温水洗浄装置と、該温水洗浄装置を操作するための壁付け型リモコンとを有するトイレ設備において、該壁付け型リモコンが請求項１ないし４のいずれか１項に記載の壁付け型リモコンであることを特徴とするトイレ設備。
【発明の詳細な説明】
【技術分野】
【０００１】
本発明は、壁に取り付けられる壁付け型リモコンに係り、特にトイレルームに設置される温水洗浄装置のリモコンに好適な壁付け型リモコンに関する。また、本発明は温水洗浄装置及びこの壁付け型リモコンを備えてなるトイレ設備に関する。
【背景技術】
【０００２】
トイレルーム等に設置されるリモコン装置は、トイレルーム等の壁面に取り付けられることが多い。特公平１−５０７３０号公報の第３図には、リモコン装置を壁面に対し保持具を介して取り付けることが記載されている。
【特許文献１】特公平１−５０７３０号公報
【発明の開示】
【発明が解決しようとする課題】
【０００３】
トイレルームの温水洗浄装置の受光部は、人体を挟んで壁付け型リモコンと反対側に配置されたり、あるいは比較的高さの低い位置に設置されたりすること等により、壁付け型リモコンから信号光が届きにくいことがある。リモコンから上方に向けて信号光を発光させ、天井等で反射させて受光部に到達させる場合もあるが、リモコンの上側に棚やアクセサリー等が張り出しているときには信号光が到達しにくくなることがある。
【０００４】
本発明は、信号光を被操作機器に到達させ易く、且つ節電を図ることができるリモコンを提供することを目的とする。また、本発明は、この壁付け型リモコンを用いたトイレ設備を提供することを目的とする。
【課題を解決するための手段】
【０００５】
本発明の壁付け型リモコンは、信号光を発生する発光体を有する壁付け型のリモコンにおいて、発光方向が異なる複数の発光体と、発光作動させる発光体を選定するための選定手段とを備えたことを特徴とするものである。
【０００６】
この選定手段としては、ジャンパーリード線、スイッチ、あるいはリモコンの外面に設けられた複数のリモコン操作スイッチの組み合せが好適である。
【０００７】
本発明のトイレ設備は、温水洗浄装置と、かかる本発明の壁付け型リモコンとを有するものである。
【発明の効果】
【０００８】
本発明の壁付け型リモコンにおいては、被操作機器に向って信号光を届かせ易い発光体のみを発光動作させ、他の発光体は発光動作させないように発光体を選定する。これにより、発光体の発光強度を増大させることなく、被操作機器に信号光を確実に届かせることができ、しかも不要な発光体を発光動作させないことにより、十分に節電を図ることができ、例えば壁付け型リモコンの電池の消耗を抑制することができる。
【０００９】
なお、トイレルームの場合、壁付け型リモコンと温水洗浄装置の受光部との間に人体やロータンク等が存在する場合、壁付け型リモコンからの信号光を受光部に向けて発光させるのではなく、上方に向けて発光させ、天井面で反射させた方が確実に信号光を受光部に届かせることができる場合がある。このような場合には、壁付け型リモコンに設けられた上向きの発光体のみを発光動作させるようにすればよい。壁付け型リモコンと受光部との間に人体、ロータンク、棚等の遮光体が存在しないときには、壁付け型リモコンから受光部に向けて信号光を直射するように発光する発光体を発光動作させればよい。
【００１０】
この発光動作する発光体を選定する手段として、ジャンパーリード線を採用した場合には、リモコンの製造原価を低くすることができる。選定手段としてスイッチを採用した場合には、選定作業を複数回やり直すことができる。選定手段としてリモコンの外面に設けられた複数のリモコン操作スイッチの組み合せを採用した場合には、リモコンの蓋などを開けることなく選定作業を行うことができる。
【発明を実施するための最良の形態】
【００１１】
以下、図面を参照して実施の形態について説明する。図１（ａ）は実施の形態に係るリモコン装置の斜視図、図１（ｂ）は図１（ａ）のＢ−Ｂ線断面図である。
【００１２】
この実施の形態の壁付け型リモコン１０は、トイレルームの壁面に設置されたものであり、洋風便器に設けられた温水洗浄装置を赤外線信号光によってリモートコントロールするためのものである。この温水洗浄装置は、便器使用者の臀部に温水を注ぎ掛けてその洗浄を行うと共に、温風を吹き付けて臀部を乾燥させる機能を有する。
【００１３】
このリモコン１０は、薄い箱状のものであり、上部に発光部１１が設けられている。この発光部１１は、赤外線透過性のガラス又は合成樹脂よりなるものであり、リモコン１０の前面上部から上面にかけて延在している。
【００１４】
この発光部１１の裏側に複数の発光体が指向方向を異ならせて設けられている。この実施の形態では、発光体はＬＥＤであり、前方を指向したＬＥＤ１３と、斜め上方を指向したＬＥＤ１４とが設置されている。これらのＬＥＤ１３，１４は、リモコン内部の回路基板１２に設置されている。この回路基板１２の裏面にはジャンパーリード線１５，１６が設けられており、ジャンパーリード線１５を切断するとＬＥＤ１３への通電が遮断され、ジャンパーリード線１６を切断するとＬＥＤ１４への通電が遮断されるよう構成されている。リモコン１０の裏面には、このジャンパーリード線１５，１６の切断作業を行うための作業用開口１７が設けられており、この作業用開口１７に着脱可能な蓋２０が装着されている。
【００１５】
このリモコン１０のスイッチ構成等について次に詳細に説明する。
【００１６】
図示は省略するが、このリモコン１０によってリモートコントロールされる温水洗浄装置には、肛門洗浄用のシャワー洗浄ノズルとビデ洗浄ノズルが設けられている。
【００１７】
図１の通り、このリモコン１０の前面の下部には、シャワー洗浄ノズルから温水を噴出させるためのシャワー洗浄用操作スイッチ２１、ビデ洗浄ノズルから温水を噴出させるためのビデ洗浄用操作スイッチ２２、臀部乾燥用の温風を吹き出させるドライスイッチ２３、シャワー洗浄等の作動をストップさせるストップスイッチ２４、及び各洗浄ノズルからの温水噴出強さを調節する洗浄強さ調節ツマミ２５が設置されている。また、このリモコン１０の前面の下部は開閉式カバーとなっており、該開閉式カバーの裏側には副操作部が隠蔽されている。この副操作部には、便座温度調節ツマミと温水温度調節ツマミが設けられている。
【００１８】
洗浄強さ調節ツマミ２５の上方には、各洗浄ノズルを前後往復動させて広範囲の洗浄を行わせるワイド洗浄スイッチ２６と、ノズルの位置調節用の前進スイッチ２７及び後退スイッチ２８とが設置されている。
【００１９】
リモコン１０の前面上部には、トイレ電装品の状態表示部としての液晶画面３０が設置されている。この液晶画面３０内には、リモコン１０の各種スイッチの操作時にリモコンからの信号が発信したことを点滅によって表示する発信表示部３１と、温水噴出強さを表示する洗浄強さ表示部３２と、シャワー洗浄用操作スイッチ２１又はビデ洗浄用操作スイッチ２２の操作時に点灯する洗浄表示部３３と、ドライスイッチ２４の操作時に「乾燥」の文字と「低」、「中」、「高」のいずれかの文字とが点灯する乾燥表示部３４と、現在の時刻を表示する時刻表示部３５と、リモコン用電池の残存容量を点灯によって表示する電池表示部３６が表示されている。
【００２０】
なお、リモコン１０は、ビス、両面テープ、平面ファスナ等によって直に壁面に取り付けられてもよく、リモコンホルダを壁面に取り付けておき、このリモコンホルダに対しリモコンを保持させるようにしてもよい。
【００２１】
このように構成されたリモコン１０にあっては、上記の通り、ジャンパーリード線１５，１６のいずれかを切断することにより、ＬＥＤ１３，１４の一方のみを発光動作させることができる。ＬＥＤ１３からの信号光は、リモコン１０の前方に向って投射されるので、リモコン１０と温水洗浄装置の信号光受光部との間に遮光体が無い場合にはこのＬＥＤ１３を発光動作させるのが好適である。
【００２２】
ＬＥＤ１４を発光動作させた場合、信号光はトイレルームの天井面等で反射されて温水洗浄装置の信号光受光部に到達する。リモコン１０と信号光受光部との間に人体やロータンク、棚等の遮光体が存在するときには、このようにＬＥＤ１４を発光動作させるのが好適である。
【００２３】
ＬＥＤ１３，１４の一方のみを発光動作させることにより、双方を発光動作させる場合に比べて節電することができ、リモコン１０内の電池の消耗を抑制することができる。
【００２４】
ジャンパーリード線１５，１６を設ける代りにリモコン１０の内部や外面にＬＥＤ選定用のスイッチを設けてもよい。このスイッチであれば、発光動作させるＬＥＤの選定作業をやり直すことができる。ただし、このような選定用スイッチよりも上記のジャンパーリード線の方が安価である。
【００２５】
なお、ジャンパーリード線の場合、一度切断するとやり直しができないので、発光させるＬＥＤの選択を慎重に行う必要がある。そのためには、リモコンを設置する位置や周囲状況を十分に検討するのが好ましい。また、発光部の一部を手やテープなどの遮光物で覆ってみて、どの方向の発光が最も適切かテストするのも好ましい。
【００２６】
発光動作させるＬＥＤの選定は、リモコン１０の上記各スイッチ２１，２２，２３，２４，２６，２７，２８のうちの特定の複数個のものを特定の順序で操作することにより実行されるよう構成してもよい。このようにすれば、ジャンパーリード線や選定用スイッチが不要となる。
【００２７】
上記実施の形態では、発光部１１はリモコン１０の上部に設けられているが、他の部位に設けられてもよい。
【００２８】
上記実施の形態では、発光部１１が１個だけ設けられているが、複数個設けられてもよい。例えば、図１（ａ）のように上部に設けた発光部１１の他に、左又は右の側部や下部に発光部を設けてもよい。このようにすれば、発光方向を上下左右の任意方向から選定することが可能となる。この場合も、選定手段によって発光動作するＬＥＤ等の発光体を選定する。
【００２９】
発光体は１個だけ動作されてもよく、３個以上の発光体が設けられているときには一部の複数個の発光体を発光動作させるようにしてもよい。ただし、発光動作する発光体の数はなるべく少ない方が好ましい。
【００３０】
上記実施の形態ではリモコンは温水洗浄装置用であるが、他の用途にも用いることができる。
【図面の簡単な説明】
【００３１】
【図１】実施の形態に係るリモコンの説明図である。
【符号の説明】
【００３２】
１０  リモコン
１１  発光部
１２  回路基板
１３，１４  ＬＥＤ
１５，１６  ジャンパーリード線
２０  蓋
【図１】
2005064652.tif 000003